(57)【要約】      （修正有）【課題】磨耗測定要素が備えられた人工関節および人工関節の磨耗測定方法を提供する。【解決手段】人工関節１０に備えられる第１、第２センサ装置１１１、１１２の距離情報か、マーカーおよび情報パターンの中から選択されるいずれか一つによって人工関節の磨耗を判断する。【選択図】図２
2019076725.tif 000002
【特許請求の範囲】
【請求項１】
センサ装置、マーカーおよび情報パターンの中から選択されるいずれか一つによって人工関節の磨耗を判断することを特徴とする磨耗測定要素が備えられた人工関節。
【請求項２】
前記センサ装置は、人工関節を構成する脛骨コンポーネントおよび大腿骨コンポーネントに備えられることを特徴とする、請求項１に記載の磨耗測定要素が備えられた人工関節。
【請求項３】
前記センサ装置は、
前記大腿骨コンポーネントに備えられる第１センサ、および
前記脛骨コンポーネントに備えられる第２センサ
を含み、
前記第１センサと前記第２センサから取得した、前記第１センサと前記第２センサとの間の距離の情報によって人工関節の磨耗を判断することを特徴とする、請求項２に記載の磨耗測定要素が備えられた人工関節。
【請求項４】
前記第１センサは前記人工関節の作動に支障を与えないように前記大腿骨コンポーネントの一側面に備えられ、前記第２センサは前記第１センサに対応して真下に位置するものとして前記人工関節の作動に支障を与えないように前記脛骨コンポーネントの一側面に備えられることを特徴とする、請求項３に記載の磨耗測定要素が備えられた人工関節。
【請求項５】
前記第１センサと前記第２センサは、無電源センサであることを特徴とする、請求項３または４に記載の磨耗測定要素が備えられた人工関節。
【請求項６】
前記センサ装置は磨耗量測定センサであり、前記磨耗量測定センサは、前記人工関節の作動に支障を与えないように前記大腿骨コンポーネントまたは脛骨コンポーネントの一側面に備えられ、関節腔内に満ちている体液内の脛骨プレートの磨耗粒子の量を測定することを特徴とする、請求項２に記載の磨耗測定要素が備えられた人工関節。
【請求項７】
前記磨耗量測定センサは、無電源センサであることを特徴とする、請求項６に記載の磨耗測定要素が備えられた人工関節。
【請求項８】
前記第１センサは、前記大腿骨コンポーネントの最低点部位に付着されることを特徴とする、請求項３に記載の磨耗測定要素が備えられた人工関節。
【請求項９】
前記マーカーは、人工関節を構成する大腿骨コンポーネントと脛骨プレートのいずれか一側または大腿骨コンポーネントと脛骨プレートの両側に備えられることを特徴とする、請求項１に記載の磨耗測定要素が備えられた人工関節。
【請求項１０】
前記マーカーは、複数備えられることを特徴とする、請求項９に記載の磨耗測定要素が備えられた人工関節。
【請求項１１】
最初の人工関節の３Ｄデータを患者に施術した人工関節の撮影の２Ｄデータにオーバーラップして、前記２Ｄデータの人工関節と３Ｄデータの人工関節の互いに重ならない磨耗領域のデータによって人工関節の磨耗を判断することを特徴とする、請求項９または１０に記載の磨耗測定要素が備えられた人工関節。
【請求項１２】
前記３Ｄデータを２Ｄデータにオーバーラップする時に両方のデータの人工関節のマーカーは互いに一致することを特徴とする、請求項１１に記載の磨耗測定要素が備えられた人工関節。
【請求項１３】
前記２Ｄデータは、Ｘ−ｒａｙまたはＣＴ撮影データであることを特徴とする、請求項１１に記載の磨耗測定要素が備えられた人工関節。
【請求項１４】
前記情報パターンは複数備えられ、前記情報パターンのいずれか一つは人工関節の摩擦部位に備えられ、残りの複数の情報パターンは人工関節の摩擦が起こらない部位に備えられ、
最初の人工関節の３Ｄデータを患者に施術した人工関節の撮影の２Ｄデータにオーバーラップして、前記２Ｄデータの人工関節の摩擦領域に備えられた情報パターンと３Ｄデータの人工関節の摩擦領域に備えられた情報パターンとを比較したデータによって人工関節の磨耗を判断することを特徴とする、請求項１に記載の磨耗測定要素が備えられた人工関節。
【請求項１５】
前記３Ｄデータを２Ｄデータにオーバーラップする時に両方のデータの人工関節の情報パターンは互いに一致することを特徴とする、請求項１４に記載の磨耗測定要素が備えられた人工関節。
【請求項１６】
前記情報パターンには、人工関節の製品情報が格納されることを特徴とする、請求項１４または１５に記載の磨耗測定要素が備えられた人工関節。
【請求項１７】
最初の人工関節の３Ｄデータを取得するステップと、
患者に施術した人工関節の撮影の２Ｄデータを取得するステップと、
前記３Ｄデータを２Ｄデータにオーバーラップするステップと、
前記３Ｄデータを２Ｄデータにオーバーラップする時に互いに重ならない人工関節の磨耗領域によって人工関節の磨耗を判断するか、または前記３Ｄデータを２Ｄデータにオーバーラップする時に２Ｄデータの人工関節の摩擦領域に備えられた情報パターンと３Ｄデータの人工関節の摩擦領域に備えられた情報パターンとを比較したデータによって人工関節の磨耗を判断するステップと、
を含む人工関節の磨耗測定方法。
【請求項１８】
前記３Ｄデータを２Ｄデータにオーバーラップする時に両方のデータの人工関節のマーカーまたは情報パターンは互いに一致することを特徴とする、請求項１７に記載の人工関節の磨耗測定方法。
【発明の詳細な説明】
【技術分野】
【０００１】
本発明は、人工膝関節の磨耗量を測定できる磨耗測定要素が備えられた人工関節および人工関節の磨耗測定方法に関する。
【背景技術】
【０００２】
一般に、人工膝関節は、大腿骨コンポーネントと、大腿骨コンポーネントの下に位置する脛骨コンポーネントと、大腿骨コンポーネントと脛骨コンポーネントとの間に位置し、人工軟骨である脛骨プレートとから構成される（韓国登録特許第１０−１７６９１２５号公報、「面接触式の突起部を含む人工膝関節」を参照）。大腿骨コンポーネントと脛骨コンポーネントは、コバルト、クロム合金などのような金属からなる。脛骨プレートは、ポリエチレン、ポリエステルなどのようなプラスチックからなる。人工膝関節の寿命は約１５年であることが知られている。プラスチック材質からなる脛骨プレートの磨耗が人工膝関節の寿命を決定する。軟骨機能をする脛骨プレートがすり減って再び痛みが生じる時に人工膝関節再置換術によって新しい人工膝関節に交替しなければならない。脛骨プレートの磨耗は、Ｘ−ｒａｙまたはＣＴ（ｃｏｍｐｕｔｅｄ  ｔｏｍｏｇｒａｐｈｙ、コンピュータ断層撮影）撮影によって確認することができる。しかし、Ｘ−ｒａｙまたはＣＴは、撮影が煩わしく、費用的に患者に負担になる。それのみならず、Ｘ−ｒａｙ、ＣＴは、最も多く用いられる画像機器ではあるものの、撮影時に誘発される反復的な放射線被爆の危険性がある。
【０００３】
したがって、簡便に人工関節の磨耗量を確認できる装置の開発が至急な実情である。
【発明の概要】
【発明が解決しようとする課題】
【０００４】
前述した問題を解決するために、本発明の実施形態は、人工関節に備えられるセンサ装置、マーカーおよび情報パターンの中から選択されるいずれか一つによって人工関節の磨耗を判断する、磨耗測定要素が備えられた人工関節および人工関節の磨耗測定方法を提供しようとする。
【課題を解決するための手段】
【０００５】
前述した目的を達成するために、本発明の実施形態に係る磨耗測定要素が備えられた人工関節は、人工関節に備えられるセンサ装置、マーカーおよび情報パターンの中から選択されるいずれか一つによって人工関節の磨耗を判断する。
【０００６】
また、前記センサ装置は、人工関節を構成する脛骨コンポーネントおよび大腿骨コンポーネントに備えられてもよい。
【０００７】
なお、前記センサ装置は、前記大腿骨コンポーネントに備えられる第１センサ、および前記脛骨コンポーネントに備えられる第２センサを含み、前記第１センサと前記第２センサから取得した、前記第１センサと前記第２センサとの間の距離の情報によって人工関節の磨耗を判断してもよい。
【０００８】
また、前記第１センサは前記人工関節の作動に支障を与えないように前記大腿骨コンポーネントの一側面に備えられ、前記第２センサは前記第１センサに対応して真下に位置するものとして前記人工関節の作動に支障を与えないように前記脛骨コンポーネントの一側面に備えられてもよい。
【０００９】
なお、前記第１センサと前記第２センサは無電源センサであってもよい。
【００１０】
また、前記センサ装置は磨耗量測定センサであり、前記磨耗量測定センサは、前記人工関節の作動に支障を与えないように前記大腿骨コンポーネントまたは脛骨コンポーネントの一側面に備えられ、関節腔内に満ちている体液内の脛骨プレートの磨耗粒子の量を測定してもよい。
【００１１】
なお、前記磨耗量測定センサは無電源センサであってもよい。
【００１２】
また、前記第１センサは、前記大腿骨コンポーネントの最低点部位に付着されてもよい。
【００１３】
また、前記マーカーは、人工関節を構成する大腿骨コンポーネントと脛骨プレートのいずれか一側または大腿骨コンポーネントと脛骨プレートの両側に備えられてもよい。
【００１４】
なお、前記マーカーは複数備えられてもよい。
【００１５】
また、最初の人工関節の３Ｄデータを患者に施術した人工関節の撮影の２Ｄデータにオーバーラップして、前記２Ｄデータの人工関節と３Ｄデータの人工関節の互いに重ならない磨耗領域のデータによって人工関節の磨耗を判断してもよい。
【００１６】
なお、前記３Ｄデータを２Ｄデータにオーバーラップする時に両方のデータの人工関節のマーカーは互いに一致してもよい。
【００１７】
また、前記２ＤデータはＸ−ｒａｙまたはＣＴ撮影データであってもよい。
【００１８】
なお、前記情報パターンのいずれか一つは人工関節の摩擦部位に備えられ、残りの複数の情報パターンは人工関節の摩擦が起こらない部位に備えられ、最初の人工関節の３Ｄデータを患者に施術した人工関節の撮影の２Ｄデータにオーバーラップして、前記２Ｄデータの人工関節の摩擦領域に備えられた情報パターンと３Ｄデータの人工関節の摩擦領域に備えられた情報パターンとを比較したデータによって人工関節の磨耗を判断してもよい。
【００１９】
また、前記３Ｄデータを２Ｄデータにオーバーラップする時に両方のデータの人工関節の情報パターンは互いに一致してもよい。
【００２０】
なお、前記情報パターンには人工関節の製品情報が格納されてもよい。
【００２１】
また、前述した目的を達成するために、本発明の実施形態に係る人工関節の磨耗測定方法は、最初の人工関節の３Ｄデータを取得するステップと、患者に施術した人工関節の撮影の２Ｄデータを取得するステップと、前記３Ｄデータを２Ｄデータにオーバーラップするステップと、前記３Ｄデータを２Ｄデータにオーバーラップする時に互いに重ならない人工関節の磨耗領域によって人工関節の磨耗を判断するか、または前記３Ｄデータを２Ｄデータにオーバーラップする時に２Ｄデータの人工関節の摩擦領域に備えられた情報パターンと３Ｄデータの人工関節の摩擦領域に備えられた情報パターンとを比較したデータによって人工関節の磨耗を判断するステップとを含む。
【００２２】
なお、前記３Ｄデータを２Ｄデータにオーバーラップする時に両方のデータの人工関節のマーカーまたは情報パターンは互いに一致してもよい。
【発明の効果】
【００２３】
本発明の実施形態に係る、磨耗測定要素が備えられた人工関節および人工関節の磨耗測定方法によれば、人工関節に付着されたセンサ装置を介して人工関節の磨耗量を測定して人工関節の交替必要性の有無を判断することができる。
【００２４】
また、Ｘ−ｒａｙまたはＣＴ撮影の煩わしさおよび費用負担を減らすことができる。
【００２５】
なお、Ｘ−ｒａｙ、ＣＴ撮影に応じた放射線被爆の危険性を無くすことができる。
【図面の簡単な説明】
【００２６】
【図１】本発明の第１実施形態によるセンサ装置が備えられた人工関節の分離斜視図である。
【図２】本発明の第１実施形態によるセンサ装置による人工関節の磨耗量の測定図である。
【図３】本発明の第２実施形態による磨耗測定装置が備えられた人工関節の使用状態図である。
【図４】本発明の第３実施形態によるマーカーが備えられた人工関節の設置状態図である。
【図５】本発明の第３実施形態によるマーカーによる人工関節の磨耗測定過程を示す図である。
【図６】本発明の第４実施形態による情報パターンが備えられた人工関節の設置状態図である。
【発明を実施するための形態】
【００２７】
以下、本発明の好ましい実施形態について、添付された図面を参照して詳細に説明する。先ず、各図面の構成要素に参照符号を付する際、同一の構成要素に対しては、他の図面上に表示される場合にも可能な限り同一の符号を付するようにしていることに留意されたい。また、以下では本発明の好ましい実施形態について説明するが、本発明の技術思想はこれらに限定または制限されず、当業者によって変形されて多様に実施できることは勿論である。
【００２８】
本発明の実施形態に係る磨耗測定要素が備えられた人工関節および人工関節の磨耗測定方法において、磨耗測定要素が備えられた人工関節は、人工関節に備えられるセンサ装置、マーカーおよび情報パターンを用いて人工関節の磨耗に応じた人工関節の交替必要性の有無を判断することができる。
【００２９】
先ず、本発明の第１実施形態について説明する。
【００３０】
図１、２に示すように、本発明の第１実施形態は、人工関節１０および人工関節１０に取り付けられるセンサ装置を含む。
【００３１】
人工関節１０は、従来の人工関節のように、大腿骨コンポーネント１１、大腿骨コンポーネント１１下に位置する脛骨コンポーネント１２、および大腿骨コンポーネント１１と脛骨コンポーネント１２との間に位置し、軟骨の役割をする脛骨プレート１３を含む。
【００３２】
大腿骨コンポーネントと脛骨コンポーネントはコバルト、クロム合金などのような金属からなる。脛骨プレート１３はポリエチレン、ポリエステルなどのようなプラスチック材質からなる。脛骨プレート１３は、大腿骨コンポーネント１１または脛骨コンポーネント１２との摩擦によって磨耗される。
【００３３】
センサ装置は、第１センサ１１１および第２センサ１１２を含む。第１センサ１１１は大腿骨コンポーネント１１に備えられる。第２センサ１１２は脛骨コンポーネント１２に備えられる。第１センサ１１１と第２センサ１１２から取得した第１センサ１１１と第２センサ１１２との間の距離Ｌの情報によって脛骨プレート１３の磨耗量を確認することができる。例えば、第１センサ１１１と第２センサ１１２との間の距離Ｌの情報が設定値以下である場合、脛骨プレート１３の寿命が終わったと判断する。脛骨プレート１３の磨耗で人工関節１０の寿命が終わったと判断する場合、人工関節再置換術によって寿命を終えた人工関節を新しい人工関節に交替する。
【００３４】
第１センサ１１１は、人工関節１０の作動に支障を与えないように大腿骨コンポーネント１１の下部の一側面に位置する。第２センサ１１２は、第１センサ１１１に対応して真下に位置する。第２センサ１１２は、人工関節１０の作動に支障を与えないように脛骨コンポーネント１２の上部の一側面に位置する。第１センサ１１１と第２センサ１１２とは同一垂直線上に位置する。第１センサ１１１と第２センサ１１２は無電源センサであってもよい。第１センサ１１１と第２センサ１１２は無線センサであってもよい。
【００３５】
例えば、第１センサ１１１および第２センサ１１２として電源を有する有線センサに設計することもできるが、この場合、所望の作動時期に関係なく不要な電源が第１センサ１１１と第２センサ１１２に供給され得る。また、第１センサ１１１と第２センサ１１２が有線センサである場合、第１センサ１１１と第２センサ１１２に連結された電線が皮膚外に露出されるなどの種々の不便があり得る。したがって、センサ装置は、無電源無線センサに設計して、皮膚縫合後に不便が無いようにする。
【００３６】
（株）コアチップス（ｈｔｔｐ：／／ｎａｎｏ＿ｋｏｒｅａ．ｂｌｏｇ．ｍｅ／８０１３７４７２５０７）は無電源センサの開発会社として知られており、無電源センサ技術は既に公知の技術であるので詳細な構成説明は省略する。
【００３７】
例えば、第１センサ１１１は大腿骨コンポーネント１１の最低点部位に付着され、第１センサ１１１と第２センサ１１２の二点間の間隔を測定する。人工関節１０は、大腿骨コンポーネント１１と脛骨コンポーネント１２との間の後側部分の脛骨プレート１３の大半が磨耗される。
【００３８】
次に、第２実施形態について説明する。
【００３９】
図３に示すように、本実施形態におけるセンサ装置は磨耗量測定センサ１２０である。磨耗量測定センサ１２０は無電源センサであってもよい。磨耗量測定センサ１２０は無線センサであってもよい。
【００４０】
磨耗量測定センサ１２０は、人工関節１０の作動に支障を与えないように大腿骨コンポーネント１１または脛骨コンポーネント１２の一側面に位置する。磨耗量測定センサ１２０は、関節腔内２００の脛骨プレート１３の磨耗粒子１３１の量を測定する。
【００４１】
脛骨プレート１３は、大腿骨コンポーネント１１または脛骨コンポーネント１２との摩擦によって磨耗し、磨耗粒子１３１が落ちる。落ちた磨耗粒子１３１は、関節腔内２００に満ちている体液２０１内に位置する。磨耗量測定センサ１２０は、関節腔内２００に満ちている体液２０１内の脛骨プレート１３の磨耗粒子１３１の量を測定する。磨耗粒子１３１の量を測定して人工関節１０の交替時期を判断することができる。
【００４２】
例えば、磨耗粒子１３１の量が設定値以上である場合、脛骨プレート１３の寿命が終わったと判断する。脛骨プレート１３の磨耗で人工関節１０の寿命が終わったと判断する場合、人工関節再置換術によって寿命を終えた人工関節を新しい人工関節に交替する。
【００４３】
上述したように、本発明の第１、２実施形態は、人工関節に付着されるセンサ装置を介して人工関節の磨耗量を測定して人工関節の交替必要性の有無を判断することができる。また、Ｘ−ｒａｙまたはＣＴ撮影の煩わしさおよび費用負担を減らすことができる。また、Ｘ−ｒａｙ、ＣＴ撮影に応じた放射線被爆の危険性を無くすことができる。
【００４４】
次に、本発明の第３実施形態について説明する。
【００４５】
図４に示すように、本発明の第３実施形態は、人工関節１０に備えられるマーカー２０を用いて人工関節１０の磨耗を測定することによって人工関節１０の交替時期を判断することができる。
【００４６】
マーカー２０は、人工関節１０を構成する大腿骨コンポーネント１１と脛骨プレート１３のいずれかの一側に備えられることができる。他の例として、マーカー２０は、大腿骨コンポーネント１１と脛骨プレート１３の両側に備えられることもできる。
【００４７】
マーカー２０は、人工関節の３Ｄデータ１０３（図５参照）を２Ｄデータ１０２（図５参照）に正確にオーバーラップさせるための基準ポイントとなる。マーカー２０は、２個備えられるか、または３個以上備えられてもよい。２Ｄデータ１０２は、Ｘ−ｒａｙまたはＣＴなどのような人工関節の撮影データであってもよい。
【００４８】
図５に示すように、マーカーを用いて人工関節の磨耗を測定し、磨耗測定情報によって人工関節の交替時期を判断することができる。
【００４９】
具体的には、患者に人工関節１０を施術する前に最初の人工関節１０の３Ｄデータ１０３を取得する（図５（ｂ）参照）。患者の膝の人工関節１０をＸ−ｒａｙまたはＣＴ撮影によって人工関節１０の磨耗を診断するための人工関節１０の２Ｄデータ１０２を取得する（図５（ａ）参照）。
【００５０】
取得した３Ｄデータ１０３を２Ｄデータ１０２にオーバーラップする（図５（ｃ）参照）。ここで、立体の３次元の３Ｄデータ１０３は全ての方向に回転自在であるため、必ず２Ｄデータ１０２を基準に３Ｄデータ１０３をオーバーラップしなければならない。
【００５１】
３Ｄデータ１０３を２Ｄデータ１０２にオーバーラップする時、両方のデータの人工関節１０のマーカー２０を基準となるポイントとし、両方のデータのマーカー２０が互いに対応して一致するようにオーバーラップすれば、精密で正確に３Ｄデータ１０３を２Ｄデータ１０２にオーバーラップすることができる。
【００５２】
３Ｄデータ１０３を２Ｄデータ１０２にオーバーラップする時、互いに重ならない人工関節の磨耗領域１００の情報によって人工関節１０の磨耗量を測定して、人工関節１０の交替必要性の有無を判断することができる。
【００５３】
オーバーラップ時、２Ｄデータ１０２の人工関節１０の画像は、摩擦部位が磨耗した状態であって、３Ｄデータ１０３の人工関節１０の画像に比べて大きさが小さくならざるを得ない。このような人工関節の摩擦部位の差により人工関節の磨耗量を測定することができる。
【００５４】
次に、本発明の第４実施形態について説明する。
【００５５】
図６に示すように、本発明の第４実施形態は、人工関節１０に備えられる情報パターン３０を用いて人工関節１０の磨耗を測定することによって人工関節１０の交替時期を判断することができる。
【００５６】
情報パターン３０は、人工関節１０を構成する大腿骨コンポーネント１１と脛骨プレート１３のいずれか一側に備えられることができる。他の例として、情報パターン３０は、大腿骨コンポーネント１１と脛骨プレート１３の両側に備えられることもできる。
【００５７】
情報パターン３０のいずれか一つは、人工関節１０の摩擦が起こる部位に備えられる。人工関節１０の摩擦が起こる部位は、大腿骨コンポーネント１１と脛骨プレート１３が接触する部位を意味する。残りの複数の情報パターン３０は、人工関節１０の摩擦が起こらない部位に備えられる。摩擦が起こらない部位は、大腿骨コンポーネント１１と脛骨プレート１３が接触しない部位を意味する。
【００５８】
情報パターン３０には、人工関節１０の製品情報などの様々な情報が格納されることができる。例えば、情報パターン３０は、バーコード、ＱＲコード(登録商標)などのように情報が格納される特定の模様を有するものであってもよい。情報パターン３０をスキャンすれば、各種情報の提供を受けることができる。
【００５９】
情報パターン３０は、人工関節１０の３Ｄデータ１０３を２Ｄデータ１０２に正確にオーバーラップさせるための基準ポイントとなる。情報パターン３０は、少なくとも３個以上になるように設計しなければならない。
【００６０】
第４実施形態の人工関節の磨耗測定は第３実施形態と同様に行われることができる。具体的には、最初の人工関節１０の３Ｄデータ１０３を取得する。患者の膝を撮影して人工関節１０の撮影の２Ｄデータ１０２を取得する。
【００６１】
取得した２Ｄデータ１０２に３Ｄデータ１０３をオーバーラップする。２Ｄデータ１０２に３Ｄデータ１０３をオーバーラップした時、２Ｄデータ１０２の人工関節１０の摩擦領域に備えられた情報パターン３０と３Ｄデータ１０３の人工関節１０の摩擦領域に備えられた情報パターン３０を互いに比較して人工関節１０の磨耗を判断することができる。２Ｄデータ１０２の摩擦領域の情報パターン３０は、人工関節１０の摩擦部位が磨耗するため、３Ｄデータ１０３の摩擦領域の情報パターン３０に比べてその大きさが小さくならざるを得ない。
【００６２】
３Ｄデータ１０３を２Ｄデータ１０２にオーバーラップする時、精密で正確なオーバーラップのために両方のデータの人工関節１０の情報パターン３０を互いに一致させる。この時、整合プログラムが格納されたＰＣなどのような整合装置を介して３Ｄデータ１０３を２Ｄデータ１０２に整合させる。３Ｄデータ１０３を２Ｄデータ１０２に整合させる時には、図５（ｂ）のＡ−Ａ断面などのような３Ｄデータ１０３を、マウスなどを用いて、整合装置を介してズーム機能を利用して拡大、縮小または様々な角度に回転させて２Ｄデータ１０２に整合する。
【００６３】
以上の説明は、本発明の技術思想を例示的に説明したものに過ぎず、本発明が属する技術分野で通常の知識を有した者であれば、本発明の本質的な特性から逸脱しない範囲内で様々な修正、変更および置換が可能である。したがって、本発明に開示された実施形態および添付された図面は本発明の技術思想を限定するためのものではなく説明するためのものであり、このような実施形態および添付された図面によって本発明の技術思想の限定されるものではない。本発明の保護範囲は下記の請求範囲によって解釈しなければならず、それと同等な範囲内にある全ての技術思想は本発明の権利範囲に含まれるものとして解釈しなければならない。
【符号の説明】
【００６４】
１０  ・・・人工関節
１１  ・・・大腿骨コンポーネント
１２  ・・・脛骨コンポーネント
１３  ・・・脛骨プレート
２０  ・・・マーカー
３０  ・・・情報パターン
１００  ・・・磨耗領域
１０２  ・・・２Ｄデータ
１０３  ・・・３Ｄデータ
１１１  ・・・第１センサ
１１２  ・・・第２センサ
１３１  ・・・磨耗粒子
１２０  ・・・磨耗量測定センサ
２００  ・・・関節腔内
２０１  ・・・体液
Ｌ  ・・・距離
【図１】
2019076725.tif 000003
【図２】
2019076725.tif 000004
【図３】
2019076725.tif 000005
【図４】
2019076725.tif 000006
【図５】
2019076725.tif 000007
【図６】
2019076725.tif 000008